(57)【要約】【課題】  太陽からの光により空間を照明することによって省エネルギー化を図ることができる採光装置を提供すること。【解決手段】  空間１２の内部を照明するための採光装置３０であって、太陽からの光を導入する採光手段３２と、採光手段３２からの光をその内面で反射させながら所定方向へ導くための筒状の導光手段３４と、導光手段３４からの光を空間１２の内部に照射するための照射手段３６と、を備える。採光手段３２は空間１２の外部に取り付けられ、導光手段３４の一端部は、空間１２に設けられた開口部１６を通して採光手段３２に連結され、その他端部は、開口部１６を通して空間１２の内部に延びて照射手段３６に連結される。【選択図】  図１
2008262887.tif 000002
【特許請求の範囲】
【請求項１】
空間の内部を照明するための採光装置であって、
太陽からの光を導入する採光手段と、前記採光手段からの光をその内面で反射させながら所定方向へ導くための筒状の導光手段と、前記導光手段からの光を前記空間の内部に照射するための照射手段と、を備え、
前記採光手段は前記空間の外部に取り付けられ、前記導光手段の一端部は、前記空間に設けられた開口部を通して前記採光手段に連結され、その他端部は、前記開口部を通して前記空間の内部に延びて前記照射手段に連結されることを特徴とする採光装置。
【請求項２】
前記空間は、貯蔵タンクの内部に規定された液体を収容するための収容空間であり、また前記開口部は、前記貯蔵タンクに設けられたマンホール部から構成されており、
前記採光手段は前記貯蔵タンクに取り付けられ、前記導光手段の一端部は、前記マンホール部を通して前記採光手段に連結され、その他端部は、前記マンホール部を通して前記貯蔵タンクの内部に延びて前記照射手段に連結されることを特徴とする請求項１に記載の採光装置。
【請求項３】
前記貯蔵タンクは、前記収容空間を規定する側壁部と、前記収容空間の上面を塞ぐ天壁部と、を有し、
前記採光手段は前記貯蔵タンクの前記側壁部に取り付けられ、前記導光手段の一端部は、前記側壁部に設けられた前記マンホール部を通して前記採光手段に連結され、その他端部は、前記側壁部の前記マンホール部を通して前記貯蔵タンクの内部に延びて前記照射手段に連結されることを特徴とする請求項２に記載の採光装置。
【請求項４】
前記貯蔵タンクは、前記収容空間を規定する側壁部と、前記収容空間の上面を塞ぐ天壁部と、を有し、
前記採光手段は前記貯蔵タンクの前記天壁部に設けられた前記マンホール部に取り付けられ、前記導光手段の一端部は、前記天壁部の前記マンホール部を通して前記採光手段に連結され、その他端部は、前記天壁部の前記マンホール部を通して前記貯蔵タンクの内部に延びて前記照射手段に連結されることを特徴とする請求項２に記載の採光装置。
【請求項５】
前記採光手段は、前記天壁部の前記マンホール部に取り付けられる取付部材と、前記取付部材に装着されるドーム部材と、を備え、前記取付部材は、基台部と、前記基台部から上方に延びる筒状の支持部と、を有し、前記ドーム部材は前記支持部に装着され、また前記導光手段は所定の角度で屈曲され、前記導光手段の一端部は前記マンホール部を通して前記支持部に回転自在に装着されることを特徴とする請求項４に記載の採光装置。
【請求項６】
前記導光手段は相互に接続される複数の筒状部材を有し、前記複数の筒状部材は屈曲筒状部材を含み、前記屈曲筒状部材は所定角度範囲で屈曲自在に構成されていることを特徴とする請求項３又は５に記載の採光装置。
【請求項７】
前記導光手段は、所定の角度に屈曲された複数の導光ユニットを有し、また前記照射手段は複数の照射部を有しており、前記複数の導光ユニットの各々の一端部は前記採光手段に取り付けられ、またそれらの他端部にはそれぞれ前記複数の照射部が取り付けられることを特徴とする請求項４に記載の採光装置。
【請求項８】
前記貯蔵タンクの前記側壁部と前記天壁部とは別体に構成され、前記天壁部は、前記側壁部の前記収容空間に収容された液体の液面上に浮かべられることを特徴とする請求項３〜７のいずれかに記載の採光装置。
【請求項９】
前記導光手段は、相互に移動自在に接続された複数の筒状部材を有し、前記複数の筒状部材が相互に移動されることにより前記導光手段が伸縮されることを特徴とする請求項４に記載の採光装置。
【請求項１０】
前記採光手段に関連して照明手段が設けられており、前記照明手段からの光は前記採光手段に導入されることを特徴とする請求項２〜９のいずれかに記載の採光装置。
【請求項１１】
前記照明手段と前記採光手段との間には導光部材が設けられ、前記照明手段からの光は、前記導光部材の内面を反射しながら前記採光手段に導かれることを特徴とする請求項１０に記載の採光装置。
【請求項１２】
前記採光手段、前記導光手段及び前記照射手段を一体に固定するための固定手段が設けられていることを特徴とする請求項１〜１１のいずれかに記載の採光装置。
【請求項１３】
液体を収容する収容空間を有する貯蔵タンクの内部を照明するための採光装置であって、
光を照射するための照明手段と、前記照明手段からの光をその内面で反射させながら所定方向へ導くための筒状の導光手段と、前記導光手段からの光を前記貯蔵タンクの内部に照射するための照射手段と、を備え、
前記照明手段は前記貯蔵タンクの外部に設けられ、前記導光手段の一端部は、前記貯蔵タンクに設けられたマンホール部を通して前記貯蔵タンクの外部に延び、その他端部は、前記マンホール部を通して前記貯蔵タンクの内部に延びて前記照射手段に連結され、前記照明手段からの光は、前記導光手段の一端部よりその内部に導入されることを特徴とする採光装置。
【請求項１４】
前記照明手段と前記導光手段の一端部との間には間隙が設けられていることを特徴とする請求項１３に記載の採光装置。
【請求項１５】
前記導光手段を前記マンホール部において移動自在に支持するための支持手段が設けられていることを特徴とする請求項１３又は１４に記載の採光装置。
【請求項１６】
前記空間は、地下空間、船内空間、トンネル空間、海中空間のいずれかであることを特徴とする請求項１に記載の採光装置。
【発明の詳細な説明】
【技術分野】
【０００１】
本発明は、光を空間の内部へ導入して空間の内部を照明するための採光装置に関する。
【背景技術】
【０００２】
従来より浮屋根式の貯蔵タンク（フローティングルーフタンク）が知られており、この貯蔵タンクは、例えば原油や石油等の液体を収容する収容空間を規定する側壁部及び収容空間内の液体の液面上に浮かべられる天壁部（浮屋根）を有し、側壁部の収容空間内の液体の貯蔵量が増減することにより液体の液面が上下すると、これに応じて天壁部が上下に移動される（例えば、特許文献１参照）。
【０００３】
このような貯蔵タンクにおいては、消防法によって定期検査を行うことが義務付けられており、この定期検査を行う際には、収容空間内に収容された液体を外部に排出して、天壁部を側壁部の底部から所定高さ位置（例えば、約２ｍ）まで下降させた後に、天壁部に設けられたマンホール部又は側壁部に設けられたマンホール部を通して作業員が収容空間内に入り、貯蔵タンク内において清掃や点検等の作業を行う。
【０００４】
【特許文献１】特開平９−１４２５７５号公報
【発明の開示】
【発明が解決しようとする課題】
【０００５】
上述のように貯蔵タンク内において清掃や点検等の作業を行う際には、貯蔵タンク内に例えば放電灯などの照明器具を設置し、照明器具からの光により貯蔵タンク内を照明する必要がある。しかしながら、貯蔵タンクの内部には、液体が蒸発することにより発生した可燃性のガスが残留しており、例えば照明器具の電気系統において火花や静電気等が発生すると、貯蔵タンク内のガスに引火して爆発するおそれがあり、作業時の安全性が著しく低下してしまうという問題がある。かかる問題を解消するために、作業を行う際には防爆仕様の照明装置が用いられるが、かかる場合であっても安全性を充分に確保することは難しい。
【０００６】
また、上述した貯蔵タンク内の収容空間に加えて、例えば地下空間や船内空間、トンネル空間、海中空間などの太陽からの光が届き難い空間を照明するためには、例えば放電灯などの照明器具を空間内に設置し、この照明器具からの光により空間内を照明する必要があり、省エネルギーの観点から好ましくないという問題がある。
【０００７】
本発明の目的は、太陽からの光により空間を照明することによって省エネルギー化を図ることができる採光装置を提供することである。
また、本発明の他の目的は、高い安全性でもって貯蔵タンクの内部を照明することができる採光装置を提供することである。
【課題を解決するための手段】
【０００８】
本発明の請求項１に記載の採光装置では、空間の内部を照明するための採光装置であって、
太陽からの光を導入する採光手段と、前記採光手段からの光をその内面で反射させながら所定方向へ導くための筒状の導光手段と、前記導光手段からの光を前記空間の内部に照射するための照射手段と、を備え、
前記採光手段は前記空間の外部に取り付けられ、前記導光手段の一端部は、前記空間に設けられた開口部を通して前記採光手段に連結され、その他端部は、前記開口部を通して前記空間の内部に延びて前記照射手段に連結されることを特徴とする。
【０００９】
また、本発明の請求項２に記載の採光装置では、前記空間は、貯蔵タンクの内部に規定された液体を収容するための収容空間であり、また前記開口部は、前記貯蔵タンクに設けられたマンホール部から構成されており、
前記採光手段は前記貯蔵タンクに取り付けられ、前記導光手段の一端部は、前記マンホール部を通して前記採光手段に連結され、その他端部は、前記マンホール部を通して前記貯蔵タンクの内部に延びて前記照射手段に連結されることを特徴とする。
【００１０】
さらに、本発明の請求項３に記載の採光装置では、前記貯蔵タンクは、前記収容空間を規定する側壁部と、前記収容空間の上面を塞ぐ天壁部と、を有し、
前記採光手段は前記貯蔵タンクの前記側壁部に取り付けられ、前記導光手段の一端部は、前記側壁部に設けられた前記マンホール部を通して前記採光手段に連結され、その他端部は、前記側壁部の前記マンホール部を通して前記貯蔵タンクの内部に延びて前記照射手段に連結されることを特徴とする。
【００１１】
また、本発明の請求項４に記載の採光装置では、前記貯蔵タンクは、前記収容空間を規定する側壁部と、前記収容空間の上面を塞ぐ天壁部と、を有し、
前記採光手段は前記貯蔵タンクの前記天壁部に設けられた前記マンホール部に取り付けられ、前記導光手段の一端部は、前記天壁部の前記マンホール部を通して前記採光手段に連結され、その他端部は、前記天壁部の前記マンホール部を通して前記貯蔵タンクの内部に延びて前記照射手段に連結されることを特徴とする。
【００１２】
さらに、本発明の請求項５に記載の採光装置では、前記採光手段は、前記天壁部の前記マンホール部に取り付けられる取付部材と、前記取付部材に装着されるドーム部材と、を備え、前記取付部材は、基台部と、前記基台部から上方に延びる筒状の支持部と、を有し、前記ドーム部材は前記支持部に装着され、また前記導光手段は所定の角度で屈曲され、前記導光手段の一端部は前記マンホール部を通して前記支持部に回転自在に装着されることを特徴とする。
【００１３】
また、本発明の請求項６に記載の採光装置では、前記導光手段は相互に接続される複数の筒状部材を有し、前記複数の筒状部材は屈曲筒状部材を含み、前記屈曲筒状部材は所定角度範囲で屈曲自在に構成されていることを特徴とする。
【００１４】
さらに、本発明の請求項７に記載の採光装置では、前記導光手段は、所定の角度に屈曲された複数の導光ユニットを有し、また前記照射手段は複数の照射部を有しており、前記複数の導光ユニットの各々の一端部は前記採光手段に取り付けられ、またそれらの他端部にはそれぞれ前記複数の照射部が取り付けられることを特徴とする。
【００１５】
また、本発明の請求項８に記載の採光装置では、前記貯蔵タンクの前記側壁部と前記天壁部とは別体に構成され、前記天壁部は、前記側壁部の前記収容空間に収容された液体の液面上に浮かべられることを特徴とする。
【００１６】
さらに、本発明の請求項９に記載の採光装置では、前記導光手段は、相互に移動自在に接続された複数の筒状部材を有し、前記複数の筒状部材が相互に移動されることにより前記導光手段が伸縮されることを特徴とする。
【００１７】
また、本発明の請求項１０に記載の採光装置では、前記採光手段に関連して照明手段が設けられており、前記照明手段からの光は前記採光手段に導入されることを特徴とする。
【００１８】
さらに、本発明の請求項１１に記載の採光装置では、前記照明手段と前記採光手段との間には導光部材が設けられ、前記照明手段からの光は、前記導光部材の内面を反射しながら前記採光手段に導かれることを特徴とする。
【００１９】
また、本発明の請求項１２に記載の採光装置では、前記採光手段、前記導光手段及び前記照射手段を一体に固定するための固定手段が設けられていることを特徴とする。
さらに、本発明の請求項１３に記載の採光装置では、液体を収容する収容空間を有する貯蔵タンクの内部を照明するための採光装置であって、
光を照射するための照明手段と、前記照明手段からの光をその内面で反射させながら所定方向へ導くための筒状の導光手段と、前記導光手段からの光を前記貯蔵タンクの内部に照射するための照射手段と、を備え、
前記照明手段は前記貯蔵タンクの外部に設けられ、前記導光手段の一端部は、前記貯蔵タンクに設けられたマンホール部を通して前記貯蔵タンクの外部に延び、その他端部は、前記マンホール部を通して前記貯蔵タンクの内部に延びて前記照射手段に連結され、前記照明手段からの光は、前記導光手段の一端部よりその内部に導入されることを特徴とする。
【００２０】
また、本発明の請求項１４に記載の採光装置では、前記照明手段と前記導光手段の一端部との間には間隙が設けられていることを特徴とする。
さらに、本発明の請求項１５に記載の採光装置では、前記導光手段を前記マンホール部において移動自在に支持するための支持手段が設けられていることを特徴とする。
【００２１】
また、本発明の請求項１６に記載の採光装置では、前記空間は、地下空間、船内空間、トンネル空間、海中空間のいずれかであることを特徴とする。
【発明の効果】
【００２２】
本発明の請求項１に記載の採光装置によれば、太陽からの光が採光手段に導入されると、採光手段からの光が導光手段の内面で反射されながら所定方向へ導かれ、導光手段からの光が照射手段により空間の内部に照射されるので、太陽からの光を空間の内部に導入して、この光により空間の内部を照明することができる。従って、例えば貯蔵タンク内の収容空間や地下空間、船内空間、トンネル空間、海中空間、商店街のアーケード内の空間、電車の駅構内の空間、港湾施設（水揚げ場や魚市場など）内の空間などの太陽からの光が届き難い空間を太陽からの光により照明することができ、省エネルギー化を図ることができる。
【００２３】
また、本発明の請求項２に記載の採光装置によれば、空間は貯蔵タンクの内部に規定された液体を収容するための収容空間から構成され、太陽からの光が採光手段に導入されると、採光手段からの光が導光手段の内面で反射されながら所定方向へ導かれ、導光手段からの光が照射手段により貯蔵タンクの内部の収容空間に照射されるので、太陽からの光を貯蔵タンクの内部に導入して、この光により貯蔵タンクの内部の収容空間を照明することができる。従って、貯蔵タンクの内部の収容空間を照明する際に火花や静電気等が発生するおそれがなく、貯蔵タンクの内部の収容空間に残留する可燃性のガスに引火して爆発するのを確実に防止することができ、高い安全性でもって貯蔵タンクの内部の収容空間を照明することが可能となる。なお、貯蔵タンクは、例えばフローティングルーフタンク、ドームルーフタンク、コーンルーフタンク、地下タンク及び球形タンク等の種々の貯蔵タンクから構成することができる。
【００２４】
さらに、本発明の請求項３に記載の採光装置によれば、採光手段は貯蔵タンクの側壁部に取り付けられ、導光手段の一端部は、側壁部に設けられたマンホール部を通して採光手段に連結され、その他端部は、側壁部のマンホール部を通して貯蔵タンクの内部に延びて照射手段に連結されるので、既存の貯蔵タンクに対して容易に採光装置を設置することが可能となる。
【００２５】
また、本発明の請求項４に記載の採光装置によれば、採光手段は天壁部に設けられたマンホール部に取り付けられ、導光手段の一端部は、天壁部のマンホール部を通して採光手段に連結され、その他端部は、天壁部のマンホール部を通して貯蔵タンクの内部に延びて照射手段に連結されるので、既存の貯蔵タンクに対して容易に採光装置を設置することが可能となる。
【００２６】
さらに、本発明の請求項５に記載の採光装置によれば、導光手段は所定の角度で屈曲され、導光手段の一端部は、天壁部のマンホール部を通して採光手段の支持部に回転自在に装着されるので、導光手段を支持部に対して回転させることにより、照射手段からの光の照射方向を調節することができる。従って、貯蔵タンク内の収容空間の所望の領域を照明することができ、貯蔵タンク内における作業性を高めることが可能となる。
【００２７】
また、本発明の請求項６に記載の採光装置によれば、導光手段は、所定角度範囲で屈曲自在に構成される屈曲筒状部材を有しているので、採光手段が天壁部のマンホール部に設けられる場合には、屈曲筒状部材の屈曲角度を適宜調節することにより、照射手段からの光の照射角度を調節することができ、導光手段を回転させることによりカバーできる照明範囲を広範囲に確保することが可能となる。また、採光手段が側壁部のマンホール部に設けられる場合には、導光手段を屈曲させながら配設する際の自由度を高めることができ、各種の貯蔵タンクに対して適用可能な採光装置を提供することが可能となる。例えば、屈曲筒状部材を相互に回動自在に接続された４つの筒状体から構成し、相互に隣接する一対の筒状体の一方がその他方に対して０度〜３０度の角度範囲で屈曲自在に構成することにより、屈曲筒状部材を０度〜９０度の角度範囲で容易に屈曲させることができる。また、屈曲筒状部材を相互に回動自在に接続された一対の筒状体から構成し、一対の筒状体の一方がその他方に対して０度〜４５度の角度範囲で屈曲自在に構成することにより、屈曲筒状部材を０度〜４５度の角度範囲で容易に屈曲させることができる。
【００２８】
さらに、本発明の請求項７に記載の採光装置によれば、所定の角度に屈曲された複数の導光ユニットの各々の一端部は採光手段に取り付けられ、それらの他端部にはそれぞれ複数の照射部が取り付けられるので、複数の導光ユニットの各他端部を種々の方向に配設することにより、貯蔵タンクの内部の収容空間をより広範囲に照明することができ、貯蔵タンク内における作業性をより高めることが可能となる。
【００２９】
また、本発明の請求項８に記載の採光装置によれば、貯蔵タンクの側壁部と天壁部とは別体に構成され、天壁部は、側壁部の収容空間に収容された液体の液面上に浮かべられるので、採光装置を浮屋根式の貯蔵タンク（フローティングルーフタンク）に対して適用することができる。かかる場合には、側壁部の収容空間に収容された液体を外部に排出して、天壁部を側壁部の底部から所定高さ位置（例えば、約２ｍ）まで下降させた状態で貯蔵タンク内の収容空間を照明することにより、貯蔵タンク内において清掃や点検等の作業を行うことができる。
【００３０】
さらに、本発明の請求項９に記載の採光装置によれば、複数の筒状部材が相互に移動されることにより導光手段が伸縮されるので、例えば側壁部と天壁部とが一体に構成された、天壁部が上下に移動されないタイプの貯蔵タンクに対して採光装置を適用した場合において、導光手段を伸長させてその長さを長く設定することにより、照射手段を側壁部の収容空間の下側領域まで下降させることができる。従って、収容空間の下側領域を照明することができ、この収容空間の下側領域において作業を行うことが可能となる。
【００３１】
また、本発明の請求項１０に記載の採光装置によれば、採光手段に関連して照明手段が設けられているので、例えば太陽からの光を充分に得ることのできない雨天時や夜間等においても、照明手段からの光を採光手段に導入することにより、貯蔵タンクの内部の収容空間を照明することが可能となる。
【００３２】
さらに、本発明の請求項１１に記載の採光装置によれば、照明手段と採光手段との間には導光部材が設けられているので、照明手段からの光は導光部材の内面を反射しながら採光手段に導かれ、照明手段からの光を効率良く採光手段に導くことができる。
【００３３】
また、本発明の請求項１２に記載の採光装置によれば、採光手段、導光手段及び照射手段を一体に固定するための固定手段が設けられているので、採光装置を空間に対して設置する際の採光装置の取り扱いを容易に行うことができる。
【００３４】
さらに、本発明の請求項１３に記載の採光装置によれば、照明手段からの光が導光手段の一端部よりその内部に導入されると、この光が導光手段の内面で反射されながら所定方向へ導かれ、導光手段からの光が照射手段により貯蔵タンクの内部に照射されるので、貯蔵タンクの外部に設けられた照明手段からの光を貯蔵タンクの内部に導入して、この光により貯蔵タンクの内部を照明することができる。従って、貯蔵タンクの内部を照明する際に貯蔵タンクの内部において火花や静電気等が発生するおそれがなく、貯蔵タンクの内部に残留する可燃性のガスに引火して爆発するのを確実に防止することができ、高い安全性でもって貯蔵タンクの内部を照明することが可能となる。なお、貯蔵タンクは、例えばフローティングルーフタンク、ドームルーフタンク、コーンルーフタンク、地下タンク及び球形タンク等の種々の貯蔵タンクから構成することができる。
【００３５】
また、本発明の請求項１４に記載の採光装置によれば、照明手段と導光手段の一端部との間には間隙が設けられているので、外気がこの間隙を通して導光手段の内部に流入され、この流入された外気により導光手段や照射手段等が冷やされる。従って、照明手段からの熱により導光手段や照射手段等の温度が上昇するのを抑制することができる。
【００３６】
さらに、本発明の請求項１５に記載の採光装置によれば、導光手段をマンホール部において移動自在に支持するための支持手段が設けられているので、導光手段を支持手段に対して相対的に移動させることにより、照射手段からの光の照射方向を調節することができる。従って、貯蔵タンク内の所望の領域を照明することができ、貯蔵タンク内における作業性を高めることが可能となる。
【００３７】
また、本発明の請求項１６に記載の採光装置によれば、空間は、地下空間、船内空間、トンネル空間、海中空間のいずれかであるので、太陽からの光が届き難いこれらの空間を太陽からの光により照明することができ、省エネルギー化を図ることができる。
【発明を実施するための最良の形態】
【００３８】
以下、添付図面を参照して、本発明に従う採光装置の各種実施形態について説明する。
［第１の実施形態］
まず、図１及び図２を参照して、本発明の第１の実施形態による採光装置について説明する。図１は、本発明の第１の実施形態による採光装置を設置した貯蔵タンクを示す概略断面図であり、図２は、図１の採光装置を示す概略断面図である。
【００３９】
図１において、図示の浮屋根式の貯蔵タンク２（フローティングルーフタンク）は、例えば原油や石油等の液体（図示せず）を収容する収容空間１２を規定する側壁部４及び収容空間１２の上面を塞ぐ天壁部６（浮屋根）を有している。側壁部４と天壁部６とは別体に構成され、天壁部６は側壁部４の収容空間１２（即ち、側壁部４と天壁部６とで囲まれた空間）内の液体の液面に浮かべられる。
【００４０】
側壁部４は、上部が開口された円筒形状に構成され、基礎８の上部に立設されている。側壁部４の下端部には、作業員等がその収容空間１２に出入りするためのマンホール部１４が設けられている。
【００４１】
天壁部６は円板状の薄鋼板から構成され、この天壁部６には、作業員等が側壁部４の収容空間１２に出入りするための円形状のマンホール部１６が複数設けられており、このマンホール部１６の開口部１８は、天壁部６の上面より上方に円筒状に延びている。また天壁部６には、複数のサポート孔２０と、これら複数のサポート孔２０にそれぞれ挿入支持される複数の浮屋根サポート２２とが設けられている。浮屋根サポート２２は上下方向に延び、その下端部は、天壁部６の下面より所定長さ（例えば、約２ｍ）下方に延びている。天壁部６の外周部には環状のポンツーン２４が設けられており、このポンツーン２４の有する浮力によって、天壁部６が側壁部４の収容空間１２内の液体の液面に浮かべられる。ポンツーン２４の外周面と側壁部４の内周面との間には、側壁部４の収容空間１２と外部とをシールするためのシール装置２６が介在され、またこのシール装置２６の上方にはウェザーシールド２８が配設されている。
【００４２】
このような貯蔵タンク２においては、側壁部４の収容空間１２内の液体の貯蔵量が増減することにより液体の液面が上下すると、これに応じて天壁部６が上下に移動される。従って、側壁部４の収容空間１２内の液体を外部に排出することにより天壁部６が下降されると、複数の浮屋根サポート２２の各下端部が側壁部４の底部に支持され、これにより天壁部６が側壁部４の底部から所定の高さ位置（例えば、約２ｍ）に支持される（図１参照）。このように天壁部６を下降させた状態において、天壁部６に設けられたマンホール部１６又は側壁部４に設けられたマンホール部１４を通して作業員等が側壁部４の収容空間１２に入ることにより、この収容空間１２において例えば清掃や点検等の作業が行われる。
【００４３】
図２をも参照して、図示の採光装置３０は、上述のように側壁部４の収容空間１２において清掃や点検等の作業を行う際に、側壁部４の収容空間１２（貯蔵タンク２の内部）を照明するためのものであり、以下、この採光装置３０について詳細に説明する。この採光装置３０は、太陽からの光を導入する採光手段３２と、採光手段３２からの光をその内面で反射させながら所定方向に導く導光手段３４と、導光手段３４からの光を側壁部４の収容空間１２に照射する照射手段３６と、を備えている。
【００４４】
採光手段３２は、取付部材３８と、この取付部材３８に取り付けられるドーム部材４０と、を備えている。取付部材３８は、例えばガルバニウム、アルミニウム又は銅などの金属や繊維強化プラスチック（ＦＲＰ）等から形成され、円板状の基台部４２と、基台部４２から上方に延びる円筒状の支持部４４と、を有している。支持部４４の開口部には、径方向内方に延びるリング状の係止部４６が設けられ、また基台部４２の外周部には、下方に延びる円筒状のカバー部４８が設けられている。この取付部材３８は、天壁部６のマンホール部１６の開口部１８に取り付けられ、このように取り付けられると、基台部４２のカバー部４８によりマンホール部１６の開口部１８の外周部が覆われる。
【００４５】
ドーム部材４０は、例えば透明なアクリルやポリカーボネート等の合成樹脂や透明なガラス等から形成され、略半球面状に構成されている。ドーム部材４０の開口部の外径は、支持部４４の開口部の外径よりも幾分大きく構成されており、ドーム部材４０が取付部材３８に取り付けられると、ドーム部材４０の開口部により支持部４４の開口部の外周面が覆われる。
【００４６】
また、この採光手段３２に関連して照明手段５０が設けられており、この照明手段５０は、例えば放電灯やＬＥＤランプ等から構成される照明部５２と、照明部５２を支持するためのスタンド部５４と、を備えている。スタンド部５４は基台部４２に立設されており、照明部５２からの光は、採光手段３２のドーム部材４０を通して導入される。なお、この照明手段５０の照明部５２は、防爆型のものから構成することが好ましい。
【００４７】
照射手段３６は、例えば半球面状の拡散カバー部材５６から構成され、この拡散カバー部材５６は、例えば半透明のアクリルやプラスチック等の合成樹脂等から形成される。
【００４８】
導光手段３４は、相互に接続される採光側筒状部材５８及び照射側筒状部材６０を有している。各筒状部材５８，６０の内面にはそれぞれ反射面６２が形成され、この反射面６２は、例えばアルミニウムフィルム等の反射材（図示せず）を貼着する、あるいはアルミニウムの蒸着等により構成されている。採光側筒状部材５８の一端部及び照射側筒状部材６０の他端部にはそれぞれ、径方向外方に延びるリング状の被係止部６４，６６が設けられている。各筒状部材５８，６０は、その一端側の外径が他端側の外径よりも幾分小さいテーパ状に形成されており、照射側筒状部材６０の一端部が採光側筒状部材５８の他端部を通してその内部に所定長さだけ挿入され、採光側筒状部材５８の他端部と照射側筒状部材６０の一端部との継ぎ目に例えばアルミニウムテープ（図示せず）等を貼着することにより両者が相互に接続され、このようにして導光手段３４が構成される。
【００４９】
導光手段３４の一端部は、天壁部６のマンホール部１６を通して取付部材３８の支持部４４の内部に挿入され、採光側筒状部材５８の被係止部６４が支持部４４の係止部４６に係止される。この状態において、複数の取付用ネジ６８によりドーム部材４０、支持部４４及び採光側筒状部材５８の一端部をそれぞれ一体に固定することにより、導光手段３４の一端部が支持部４４の開口部に取り付けられる。また導光手段３４の他端部は、マンホール部１６を通して側壁部４の収容空間１２に延び、固定用リング７０を介して拡散カバー部材５６に取り付けられる。この固定用リング７０は、リング本体部７２と、リング本体部７２の内周部より延びる筒状部７４と、を有している。リング本体部７２を照射側筒状部材６０の被係止部６６に係止させて複数の取付用ネジ７６により両者を固定するとともに、拡散カバー部材５６の開口部を筒状部７４の外周部に装着して複数の取付用ネジ７８により両者を固定することにより、導光手段３４の他端部が固定用リング７０を介して拡散カバー部材５６に取り付けられる。
【００５０】
上述のようにして構成した採光装置３０による貯蔵タンク２の内部の照明は、次のようにして行われる。採光手段３０のドーム部材４０を通して導入された太陽光は、支持部４４の開口部より導光手段３４の内部へと導かれ、このように導かれた光は、各筒状部材５８，６０の内面の反射面６２をそれぞれ乱反射しながら所定方向（照射手段３６が配設された方向）へと導かれる。照射側筒状部材６０の他端部から出射された光は、拡散カバー部材５６を通して側壁部４の収容空間１２に拡散照射され、このようにして太陽光を利用して側壁部４の収容空間１２が照明され、作業員等が側壁部４の収容空間１２において清掃や点検等の作業を行うことができる。
【００５１】
この第１の実施形態による採光装置３０では、太陽からの光を利用して側壁部４の収容空間１２を照明するので、火花や静電気等が発生することがなく、側壁部４の収容空間１２に残留する可燃性のガスに引火して爆発するのを確実に防止することができ、高い安全性でもって側壁部４の収容空間１２を照明することができる。また、天壁部６のマンホール部１６を利用して採光装置３０を設置することができるので、既存の貯蔵タンク２に対して容易に採光装置３０を設置することができる。また、採光手段３２、導光手段３４及び照射手段３６はそれぞれ一体に構成されているので、導光手段３４の他端部側（照射手段３６側）を天壁部６のマンホール部１６の開口部１８を通して側壁部４の収容空間１２に挿入し、取付部材３８をマンホール部１６の開口部１８に取り付けることにより、採光手段３０を容易に設置することができる。
【００５２】
なお、例えば雨天時や夜間等のように、太陽からの光を充分に得ることができない場合には、照明手段５０の照明部５２を点灯させることにより、照明部５２からの光がドーム部材４０を通して導光手段３４の内部へと導かれ、上述したのと同様に、この光により側壁部４の収容空間１２を照明することができる。この第１の実施形態では、照明手段５０を基台部４２に立設するように構成したが、これに限られず、例えば天壁部６の上面に立設するように構成してもよい。側壁部４の収容空間１２と外部とが採光手段３４により遮断され、この遮断された外部に照明手段５０が配設されるため、側壁部４の収容空間１２に残留する可燃性のガスが外部に漏れてこのガスに引火して爆破するおそれがなく、安全性を確保することができる。
【００５３】
また、この第１の実施形態では、導光手段３４を採光側筒状部材５８及び照射側筒状部材６０から構成したが、例えば天壁部６と側壁部４の底部との間の距離や、マンホール部１６の長さなどに応じて、筒状部材の数を適宜設定することができる。このように筒状部材の数を適宜設定することにより、導光手段３４の長さを調節することができる。
【００５４】
［第２の実施形態］
次に、図３〜図５を参照して、本発明の第２の実施形態による採光装置について説明する。図３は、本発明の第２の実施形態による採光装置を示す概略断面図であり、図４は、図３の屈曲筒状部材を屈曲させない状態で示す概略断面図であり、図５は、図３の屈曲筒状部材を約４５度の角度に屈曲させた状態を示す図である。なお、以下の各実施形態において、上記第１の実施形態と実質上同一の構成要素には同一の符号を付し、その説明を省略する。
【００５５】
図３〜図５において、この第２の実施形態の採光装置３０Ａでは、導光手段３４Ａは、相互に接続される採光側筒状部材５８Ａ及び屈曲筒状部材８０を有している。採光側筒状部材５８Ａの一端部における外周部には、径方向外方且つ下方に延びる装着部８２が設けられており、この装着部８２の内側には、複数のローラ８４が回転自在に取り付けられている。これら複数のローラ８４がそれぞれ支持部４４の開口部（ガイドレールとして機能する）に移動自在に載置されることにより、導光手段３４Ａの一端部が支持部４４の開口部に回転自在に装着される。
【００５６】
屈曲筒状部材８０は、相互に回動自在に接続された一対の筒状体８６ａ，８６ｂを有している。筒状体８６ａ，８６ｂの一方の開口端（相互に接続される開口端）は、軸線Ｃに対して約４５度の角度で傾斜しており、それらの他方の開口端は、軸線Ｃに対して実質上垂直に構成されている。また、筒状体８６ｂの一方の開口端には、径方向外方に幾分突出するリング状の嵌合用突部８８が設けられ、また筒状体８６ａの一方の開口端には、この嵌合用突部８８に摺動自在に嵌合されるリング状の嵌合用凹部９０が設けられている。これにより、一方の筒状体８６ａをその他方の筒状体８６ｂに対して相対的に図４中の矢印で示すように回動させることができ、かく回動させることにより、一方の筒状体８６ａは他方の筒状体８６ｂに対して０度〜４５度の角度範囲で自在に屈曲され、従って、この屈曲筒状部材８０は全体として０度〜４５度の角度範囲で任意の角度に自在に屈曲される。なお、図３においては、嵌合用突部８８及び嵌合用凹部９０の図示を省略してある。また、他方の筒状体８６ｂの他方の開口端には被係止部６６が設けられ、上記第１の実施形態と同様に、導光手段３４Ａの他端部には、固定用リング７０を介して拡散カバー部材５６が取り付けられる。
【００５７】
この第２の実施形態の採光装置３０Ａでは、複数のローラ８４がそれぞれ支持部４４の開口部に沿って回転しながら移動されることにより、導光手段３４Ａが図３中の矢印で示すように回転され、それ故に、照射手段３６からの光の照射方向を調節することができ、側壁部（図示せず）の収容空間１２における所望の領域を照明することができる。
【００５８】
なお、上述のようにして屈曲筒状部材８０の屈曲角度を適宜調節することにより、照射手段３６からの光の照射角度を調節することができ、導光手段３４Ａを回転させることによりカバーできる照明範囲の大きさを調節することができる。
【００５９】
また、導光手段３４Ａはアルミニウムから構成することが好ましく、かく構成することにより、上述のように嵌合用突部８８及び嵌合用凹部９０が相互に摺動された際に火花が生じることがなく、高い安全性を確保することができる。
【００６０】
また、図６に示す採光装置３０Ａ’のように、採光手段３２、導光手段３４Ａ及び照射手段３６を一体に固定するための固定手段１４４を設けるようにしてもよい。この固定手段１４４は複数（例えば４個）のフレーム本体１４６を備え、各フレーム本体１４６は、導光手段３４Ａの屈曲角度に対応して折り曲げられている。フレーム本体１４６は、複数のリベット１４７を用いて導光手段３４Ａの外周面に沿って取り付けられ、その上端部は略垂直に折り曲げられて基台部４２の裏面に取り付けられ、またその下端部はＬ字状に折り曲げられて照射手段３６を保護するための保護部材１４８に連結されている。この保護部材１４８は、複数の保護バー１５０を組み合わせることにより構成され、拡散カバー部材５６の前方を覆うようにして配設されている。また、導光手段３４Ａの外周部にはテープ状の光硬化型ＦＲＰシート１５２が巻回され、これによって、導光手段３４Ａ及び複数のフレーム本体１４６をより強固に一体に固定することができる。従って、図６に示す採光装置３０Ａ’では、採光装置３０Ａ’を貯蔵タンク２に対して設置する際の採光装置３０Ａ’の取り扱いが容易となり、また設置後において拡散カバー部材５６の落下を防止することができる。
【００６１】
［第３の実施形態］
次に、図７〜図９を参照して、本発明の第３の実施形態による採光装置について説明する。図７は、本発明の第３の実施形態による採光装置を示す概略断面図であり、図８は、図７の屈曲筒状部材を屈曲させない状態で示す概略断面図であり、図９は、図７の屈曲筒状部材を約９０度の角度に屈曲させた状態を示す図である。
【００６２】
図７〜図９において、この第３の実施形態の採光装置３０Ｂでは、導光手段３４Ｂは、採光側筒状部材５８Ａ、屈曲筒状部材９２及び照射側筒状部材６０がこの順に相互に接続されることにより構成されている。屈曲筒状部材９２は、相互に回動自在に接続された４個の筒状体９４ａ〜９４ｄを有し、筒状体９４ａ〜９４ｄの相互に接続される開口端は、軸線Ｃに対して約６０度の角度で傾斜しており、また両側に配設される筒状体９４ａ，９４ｄの外側の開口端はそれぞれ、軸線Ｃに対して実質上垂直に構成されている。また、筒状体９４ｂ，９４ｃ，９４ｄの一方の開口端にはそれぞれ、径方向外方に幾分突出するリング状の嵌合用突部８８が設けられ、また筒状体９４ａ，９４ｂ，９４ｃの他方の開口端にはそれぞれ、嵌合用突部８８に摺動自在に嵌合されるリング状の嵌合用凹部９０が設けられている。これにより、相互に隣接する一対の筒状体９４ａ，９４ｂ（９４ｂ，９４ｃ）（９４ｃ，９４ｄ）のうち一方の筒状体９４ａ（９４ｂ）（９４ｃ）をその他方の筒状体９４ｂ（９４ｃ）（９４ｄ）に対して相対的に図８中の矢印で示すように回動させることができ、かく回動させることにより、一方の筒状体９４ａ（９４ｂ）（９４ｃ）は他方の筒状体９４ｂ（９４ｃ）（９４ｄ）に対して０度〜３０度の角度範囲で自在に屈曲され、従って、この屈曲筒状部材９２は全体として０度〜９０度の角度範囲で任意の角度に自在に屈曲される。なお、図７においては、嵌合用突部８８及び嵌合用凹部９０の図示を省略してある。
【００６３】
例えば、屈曲筒状部材９２が直線状に延びる状態（即ち、屈曲角度が約０度の状態）より、一端側の筒状体９４ａをこれに隣接する筒状体９４ｂに対して約３０度の角度で屈曲させると、屈曲筒状部材９２は全体として約３０度の角度で屈曲され、更に、この筒状体９４ｂをこれに隣接する筒状体９４ｃに対して約３０度の角度で屈曲させると、屈曲筒状部材９２は全体として約６０度の角度で屈曲され、更にまた、この筒状体９４ｃをこれに隣接する他端側の筒状体９４ｄに対して約３０度の角度で屈曲させると、屈曲筒状部材９２は全体として約９０度の角度で屈曲される。なお、屈曲筒状部材９２の一端側の外径は、その他端側の外径よりも幾分小さく構成されている。
【００６４】
この第３の実施形態の採光装置３０Ｂでは、上記第２の実施形態と同様に、複数のローラ８４がそれぞれ支持部４４の開口部に沿って回転しながら移動されることにより、導光手段３４Ｂが図７中の矢印で示すように回転され、それ故に、照射手段３６からの光の照射方向を調節することができ、側壁部（図示せず）の収容空間１２における所望の領域を照明することができる。
【００６５】
また、上述のように、屈曲筒状部材９２は０度〜９０度の角度範囲で自在に屈曲されるので、屈曲筒状部材９２の屈曲角度を適宜調節することにより、照射手段３６からの光の照射角度を調節することができ、導光手段３４Ｂを回転させることによりカバーできる照明範囲をより広く確保することができる。
【００６６】
［第４の実施形態］
次に、図１０及び図１１を参照して、本発明の第４の実施形態による採光装置について説明する。図１０は、本発明の第４の実施形態による採光装置を示す概略断面図であり、図１１は、図１０の採光装置を示す斜視図である。
【００６７】
図１０及び図１１において、この第４の実施形態の採光装置３０Ｃでは、採光手段３２Ｃの取付部材３８Ｃの支持部４４Ｃは基台部４２より鉛直上方に延びている。照射手段３６Ｃは複数の照射部９６を有し、複数の照射部９６の各々は拡散カバー部材５６から構成されている。導光手段３４Ｃは、所定角度（本実施形態では約９０度）に屈曲された複数（本実施形態では４個）の導光ユニット９８を有している。導光ユニット９８は、採光側筒状部材５８Ｃ、屈曲筒状部材９２及び照射側筒状部材６０がこの順に相互に接続されることにより構成されている。なお、採光側筒状部材５８Ｃの一端部には、被係止部は設けられていない。
【００６８】
複数の導光ユニット９８の各一端部は、相互に近接された状態で天壁部６のマンホール部１６を通して取付部材３８Ｃの支持部４４Ｃの内部に挿入され、複数の取付用ネジ６８によりドーム部材４０、支持部４４Ｃ及び各採光側筒状部材５８Ｃの一端部をそれぞれ一体に固定することにより、複数の導光ユニット９８の各一端部が支持部４４Ｃの開口部に取り付けられる。また、複数の導光ユニット９８の各他端部は、マンホール部１６を通して側壁部（図示せず）の収容空間１２に延びて、固定用リング７０を介して照明部９６の拡散カバー部材５６が取り付けられる。複数の導光ユニット９８の各他端部に取り付けられた照明部９６は、互いに異なる方向を向くようにして配設されている。
【００６９】
この第４の実施形態の採光装置３０Ｃでは、採光手段３２Ｃのドーム部材４０を通して導入された太陽光は、支持部４４Ｃの開口部より各導光ユニット９８の内部へと導かれ、このように導かれた光は、各導光ユニット９８の内面をそれぞれ乱反射しながら所定方向へと導かれる。各導光ユニット９８の他端部から出射された光はそれぞれ、対応する照明部９６の拡散カバー部材５６を通して側壁部の収容空間１２に拡散照射され、これにより側壁部の収容空間１２を広範囲に照明することができる。
【００７０】
なお、この第４の実施形態では、導光手段３４Ｃを４個の導光ユニット９８から構成したが、これに限られず、２個、３個又は５個以上の導光ユニットから構成してもよく、その数は適宜設定することができる。例えば導光手段９８を５個の導光ユニットから構成した場合には、直線状に延びる１個の第１導光ユニットと、所定の角度で屈曲される４個の第２導光ユニットとを用い、第１導光ユニットの周囲に４個の第２導光ユニットを配設することができる。また、導光ユニット９８の屈曲筒状部材９２を０度〜９０度の角度範囲で屈曲させるタイプのものから構成したが、上記第２の実施形態と同様に、０度〜４５度の角度範囲で屈曲させるタイプのものから構成してもよい。
【００７１】
［第５の実施形態］
次に、図１２を参照して、本発明の第５の実施形態による採光装置について説明する。図１２は、本発明の第５の実施形態による採光装置を示す概略断面図である。
【００７２】
図１２において、この第５の実施形態の採光装置３０Ｄでは、採光手段３２Ｄの取付部材３８Ｄの基台部４２Ｄの上側部及び下側部にはそれぞれ複数の貫通孔（図示せず）が設けられている。この基台部４２Ｄの裏面側を側壁部４の外周面に当接させた状態で、複数の取付用ネジ１００を基台部４２Ｄの複数の貫通孔を通して側壁部４の外周面に設けた複数のネジ孔（図示せず）にそれぞれ螺着することにより、取付部材３８Ｄが側壁部４の外周面に取り付けられる。このように取り付けられると、ドーム部材４０は実質上水平方向を向くようになる。
【００７３】
導光手段３４Ｄは、相互に接続される採光側筒状部材５８及び照射側筒状部材６０を有している。導光手段３４Ｄの一端部は、側壁部４に設けられたマンホール部１４を通して取付部材３８Ｄの支持部４４の開口部に取り付けられ、その他端部は、マンホール部１４を通して側壁部４の収容空間１２に実質上水平方向に延び、固定用リング７０を介して拡散カバー部材５６に取り付けられている。
【００７４】
従って、この第５の実施形態の採光装置３０Ｄでは、導光手段３４Ｄの他端部から出射された光は、拡散カバー部材５６を通して側壁部４の収容空間１２に実質上水平方向に拡散照射され、側壁部４の収容空間１２を横方向より照明することができる。また、側壁部４に設けられたマンホール部１４を利用して採光装置３０Ｄを設置することができるので、既存の貯蔵タンク２に容易に設置することができる。また、採光手段３２Ｄ、導光手段３４Ｄ及び照射手段３６はそれぞれ一体に構成されているので、導光手段３４Ｄの他端部側（照射手段３６側）を側壁部４のマンホール部１４を通して収容空間１２に挿入し、取付部材３８Ｄを側壁部４の外周面に取り付けることにより、採光手段３０Ｄを容易に設置することができる。
【００７５】
なお、例えば雨天時や夜間等のように、太陽からの光を充分に得ることができない場合には、図１３に示すように、照明手段５０Ｈ（後述する）を貯蔵タンク２の外部に立設し、照明手段５０Ｈの照明部５２Ｈと採光手段３２Ｄとの間に筒状の導光部材１５４を設ける。この導光部材１５４はアルミニウムから形成され、その内面には反射面が形成されている。導光部材１５４の一端部は、例えば固定用テープ（図示せず）などを用いて取付部材３８Ｄの支持部４４の外周部を覆うようにして取り付けられ、またその他端部と照明手段５０Ｈの照明部５２Ｈとの間には、例えば５ｍｍ〜１０ｍｍ程度の間隙Ｗが設けられている。照明部５２Ｈを点灯させると、照明部５２Ｈからの光が導光部材１５４の内面の反射面を反射しながらドーム部材４０を通して導光手段３４Ｄの内部へと効率良く導かれ、この光により貯蔵タンク２の内部を照明することができる。照明部５２Ｈと導光部材１５４の一端部との間には間隙Ｗが設けられているので、外気がこの間隙Ｗを通して導光部材１５４の内部に流入され、この流入された外気によって導光部材１５４やドーム部材４０等が冷やされる。これにより、照明部５２Ｈからの熱により導光部材１５４やドーム部材４０等の温度が上昇するのを抑制することができる。
【００７６】
［第６の実施形態］
次に、図１４を参照して、本発明の第６の実施形態による採光装置について説明する。図１４は、本発明の第５の実施形態による採光装置を示す概略断面図である。
【００７７】
図１４において、この第６の実施形態の採光装置３０Ｅでは、採光手段３２Ｅの取付部材３８Ｅの基台部４２Ｅの一端部には取付プレート部１０２が設けられ、基台部４２Ｅは、取付プレート部１０２に対して所定角度（例えば、約４５度）傾斜して延びている。取付プレート部１０２の上側部及び下側部にはそれぞれ複数の貫通孔（図示せず）が設けられており、複数の取付用ネジ１００をこれら複数の貫通孔を通して側壁部４の外周面に設けられた複数のネジ孔（図示せず）にそれぞれ螺着することにより、取付プレート部１０２が側壁部４の外周面に取り付けられる。このように取り付けられた状態において、基台部４２Ｅは、その一端部から他端部に向かって下方に傾斜して延び、またドーム部材４０は、鉛直方向に対して所定角度θ（例えば約４５度）で傾斜した方向を向くようになる。
【００７８】
導光手段３４Ｅは、相互に接続される屈曲筒状部材８０及び照射側筒状部材６０を有している。屈曲筒状部材８０は例えば約４５度の角度に屈曲され、その一端部には、径方向外方に延びるリング状の被係止部６４が設けられている。導光手段３４Ｅの一端部は、側壁部４に設けられたマンホール部１４を通して支持部４４の開口部に取り付けられ、その他端部は、約４５度の角度で屈曲された後に、マンホール部１４を通して側壁部４の収容空間１２に実質上水平方向に延び、固定用リング７０を介して拡散カバー部材５６が取り付けられている。
【００７９】
この第６の実施形態の採光装置３０Ｅでは、ドーム部材４０は鉛直方向に対して約４５度の角度で傾斜して取り付けられているので、例えば側壁部４に対して約４５度の角度から太陽光が照射される場合などにおいて、太陽光を採光手段３０Ｅに効率的に導入することができる。
【００８０】
なお、図１５に示すようにしてドーム部材４０を鉛直方向に対して約４５度の角度で傾斜して取り付けることもできる。図１５に示す採光装置３０Ｅ’では、採光手段３２Ｄは上記第５の実施形態とほぼ同様の構成であり、ドーム部材４０は取付部材３８Ｄから取り外され、導光手段３４Ｅの一端部（即ち、約４５度の角度に屈曲された屈曲筒状部材８０の一端部）は支持部４４の開口部を通して外部に延び、またその他端部（即ち、屈曲筒状部材８０の他端部及び照射側筒状部材６０）はマンホール部１４を通して実質上水平方向に延びている。また、導光手段３４Ｅ及び取付部材３８Ｄは、複数のフレーム部材１５６により一体に固定されている。このフレーム部材１５６は所定角度（即ち、屈曲筒状部材８０の一端部と支持部４４とのなす角度）で折り曲げられ、屈曲筒状部材８０の外周面及び支持部４４の外周面に沿って配設されている。このフレーム部材１５６の一端部は外側にコの字状に折り曲げられ、この一端部には、屈曲筒状部材８０の被係止部６４が係止されるとともに、ドーム部材４０が複数の取付用ネジ６８を用いて取り付けられている。またフレーム部材１５６の他端部は、複数の取付用ネジ１５８を用いて取付部材３８Ｄの基台部４２Ｄに取り付けられている。従って、この採光装置３０Ｅ’においても、上述したのと同様の作用効果が達成される。
【００８１】
なお、この第６の実施形態においては、屈曲筒状部材８０を約４５度の角度に屈曲させた状態で使用したが、これに限られず、例えば３０度、３５度又は４０度など適宜の角度に屈曲させて使用することができる。また、上記第４の実施形態と同様に、導光手段３４Ｅの屈曲筒状部材を０度〜９０度の角度範囲で屈曲させるタイプのものから構成してもよい。
【００８２】
［第７の実施形態］
次に、図１６を参照して、本発明の第７の実施形態による採光装置について説明する。図１６は、本発明の第７の実施形態による採光装置を示す概略断面図である。
【００８３】
図１６において、この第７の実施形態の採光装置３０Ｆでは、採光手段３２Ｆの取付部材３８Ｆの基台部４２Ｆの一端部には取付プレート部１０２が設けられ、基台部４２Ｆは、取付プレート部１０２に対して略垂直方向に延びている。取付プレート部１０２の上側部及び下側部にはそれぞれ複数の貫通孔（図示せず）が設けられており、複数の取付用ネジ１００をこれら複数の貫通孔を通して側壁部４の外周面に設けられた複数のネジ孔（図示せず）にそれぞれ螺着することにより、取付プレート部１０２が側壁部４の外周面に取り付けられる。このように取り付けられた状態において、基台部４２Ｆは、実質上水平方向に延び、ドーム部材４０は鉛直方向上方を向くようになる。
【００８４】
導光手段３４Ｆは、採光側筒状部材５８、中間筒状部材１０４ａ、屈曲筒状部材９２、中間筒状部材１０４ｂ及び照射側筒状部材６０がこの順に相互に接続されることにより構成されている。屈曲筒状部材９２は例えば約９０度の角度に屈曲され、また中間筒状部材１０４ａ，１０４ｂの両端部にはそれぞれ被係止部は設けられていない。導光手段３４Ｆは、支持部４４の開口部より側壁部４の外周面に沿って下方に延びた後に約９０度の角度で屈曲され、更にマンホール部１４を通して側壁部４の収容空間１２に実質上水平方向に延び、拡散カバー部材５６に連結されている。従って、この第７の実施形態の採光装置３０Ｆにおいても、上記第５及び第６の実施形態と同様の作用効果が達成される。
【００８５】
［第８の実施形態］
次に、図１７及び図１８を参照して、本発明の第８の実施形態による採光装置について説明する。図１７は、本発明の第８の実施形態による採光装置を設置した貯蔵タンクを示す概略断面図であり、図１８は、図１７の導光手段を示す概略断面図である。
【００８６】
図１７及び図１８において、この第８の実施形態の採光装置３０Ｇが設置される貯蔵タンク２Ｇでは、天壁部６Ｇは側壁部４Ｇの上部開口部に設けられており、これら側壁部４Ｇと天壁部６Ｇとは一体に構成されている。導光手段３４Ｇは、外径の異なる複数（例えば、８個）の筒状部材１０６が相互に移動自在に接続されることにより構成されている。相互に隣接する一対の筒状部材１０６のうち一方の筒状部材１０６は、その他方の筒状部材１０６の内部に収納自在に構成され、一方の筒状部材１０６の一方の開口端には、径方向外方に延びるリング状の係止突部１０８が設けられ、また他方の筒状部材１０６の一方の開口端には、径方向内方に延びて係止突部１０８と相互に係止される係止凹部１１０が設けられている。一方の筒状部材１０６が他方の筒状部材１０６の内部から引き出されると、一方の筒状部材１０６の係止突部１０８が他方の筒状部材１０６の係止凹部１１０に係止され、これにより一方の筒状部材１０６が他方の筒状部材１０６から離脱されるのが防止される。複数の筒状部材１０６のうち、最も先端側の筒状部材１０６ａが採光側筒状部材として機能し、また最も基端側の筒状部材１０６ｂが照射側筒状部材として機能し、最も先端側の筒状部材１０６ａと最も基端側の筒状部材１０６ｂとの間に配設された複数の筒状部材１０６ｃはそれぞれ中間筒状部材として機能する。最も先端側の筒状部材１０６ａ及び最も基端側の筒状部材１０６ｂの各々の他方の開口端には、径方向外方に延びるリング状の被係止部６４，６６が設けられている。
【００８７】
上述のように構成されているので、複数の筒状部材１０６を相互に移動させる、即ち、相互に隣接する一対の筒状部材１０６の一方の筒状部材１０６を他方の筒状部材１０６の内部から引き出すことによって、又は一方の筒状部材１０６を他方の筒状部材１０６の内部に収納することによって、導光手段３４Ｇが伸縮されその長さを調節することができる。例えば、各筒状部材１０６をこれに隣接する筒状部材１０６の内部から引き出すことにより、導光手段３４Ｇの長さは最長長さ（例えば、約１０ｍ）に調節され、また各筒状部材１０６をこれに隣接する筒状部材１０６の内部に収納することにより、導光手段３４Ｇの長さは最短長さ（例えば、約１ｍ）に調節される。また、各筒状部材１０６の引出し量をそれぞれ調節することにより、導光手段３４Ｇの長さは、最長長さと最短長さとの間で自在に調節される。
【００８８】
従って、側壁部４Ｇの収容空間１２Ｇの下側領域において作業する場合において、上述のようにして導光手段３４Ｇを伸長させることにより、照射手段３６を下降させてこれを収容空間１２Ｇの下側領域に配設することができ、収容空間１２Ｇの下側領域を照明することができる。
【００８９】
なお、上記第２及び第３の実施形態と同様に、複数の筒状部材１０６の一部を屈曲筒状部材から構成し、導光手段３４Ｇの一端部を採光手段３２の支持部４４の開口部に回転自在に装着するように構成してもよい。
【００９０】
［第９の実施形態］
次に、図１９を参照して、本発明の第９の実施形態による採光装置について説明する。図１９は、本発明の第９の実施形態による採光装置を示す概略断面図である。
【００９１】
図１９において、この第９の実施形態の採光装置３０Ｈは、光を照射するための照明手段５０Ｈと、照明手段５０Ｈからの光をその内面で反射させながら所定方向へ導くための筒状の導光手段３４Ｈと、導光手段３４Ｈからの光を貯蔵タンク２の内部に照射するための照射手段３６と、を備えている。
【００９２】
導光手段３４Ｈは、一対の屈曲筒状部材８０ａ，８０ｂ、採光側筒状部材５８及び屈曲筒状部材８０ｃがこの順に相互に接続されることにより構成され、これら屈曲筒状部材８０ａ〜８０ｃはそれぞれ上記第２の実施形態の屈曲筒状部材８０と同様に構成されている。一対の屈曲筒状部材８０ａ，８０ｂはそれぞれ約４５度の角度で屈曲され、これにより相互に接続された一対の屈曲筒状部材８０ａ，８０ｂは全体として約９０度の角度で屈曲される。また、屈曲筒状部材８０ｃは例えば約４５度の角度で屈曲されている。
【００９３】
また、ドーム部材（図示せず）は取付部材３８より取り外されている。導光手段３４Ｈの一端部は、天壁部６のマンホール部１６及び取付部材３８の支持部４４の開口部を通して貯蔵タンク２の外部に延び、全体として約９０度の角度で屈曲された後に実質上水平方向に延びている。このように屈曲されることにより、導光手段３４Ｈの一端部における内面には、鉛直方向に対して約４５度の角度に傾斜された傾斜反射面１１２が形成される。また導光手段３４Ｈの他端部は、天壁部６のマンホール部１６を通して貯蔵タンク２の内部に実質上鉛直方向下方に延び、約４５度の角度で屈曲された後に固定用リング７０を介して拡散カバー部材５６に取り付けられる。従って、導光手段３４Ｈは、この取付部材３８によって支持される。また、採光手段、導光手段３４Ａ及び照射手段３６を一体に固定するための固定手段（図示せず）と、照射手段３６を保護するための保護部材１４８とが設けられている。
【００９４】
照明手段５０Ｈは、例えば放電灯やＬＥＤランプ等から構成される照明部５２Ｈと、照明部５２Ｈを支持するためのスタンド部５４Ｈと、を備えている。スタンド部５４Ｈは貯蔵タンク２の天壁部６に立設され、また照明部５２Ｈは導光手段３４Ｈの一端部の前方に配設されている。照明部５２Ｈと導光手段３４Ｈの一端部との間には、例えば約５ｍｍ〜１０ｍｍ程度の間隙Ｗが設けられている。なお、この照明手段５０Ｈの照明部５２Ｈは、防爆型のものから構成することが好ましい。
【００９５】
第９の実施形態の採光装置３０Ｈによる貯蔵タンク２の内部の照明は、次のようにして行われる。例えば晴天時の昼間のように太陽からの光を充分に得ることができる場合には、ドーム部材が取付部材３８に取り付けられ、上述した実施形態と同様に、太陽からの光がドーム部材を通して導入され、この光により貯蔵タンク２の内部が照明される。例えば雨天時や曇天時、夜間等のように、太陽からの光を充分に得ることができない場合には、ドーム部材を取付部材３８より取り外し、相互に接続された一対の屈曲筒状部材８０ａ，８０ｂの他端部を採光側筒状部材５８の一端部の内部に挿入して、これらを相互に接続する。また、照明手段５０Ｈを貯蔵タンク２の天壁部６の所定位置に設置する。
【００９６】
この状態で照明手段５０Ｈの照明部５２Ｈを点灯させると、照明部５２Ｈからの光が導光手段３４Ｈの一端部よりその内部に導入され、導光手段３４Ｈの内面の反射面６２を乱反射しながら所定方向へと導かれる。なお、この導入された光の大部分は、傾斜反射面１１２にて約９０度の角度でもって反射され、このように反射された光は鉛直方向下方へと導かれるので、照明部５２Ｈからの光を効率良く照射手段３６が配設された方向へ導くことができる。導光手段３４Ｈの他端部より出射された光は、拡散カバー部材５６を通して貯蔵タンク２の収容空間１２に拡散照射される。従って、このように太陽からの光を充分に得ることができない場合においても、照明手段５０Ｈからの光を利用して貯蔵タンク２の収容空間１２を高い安全性でもって照明することができる。
【００９７】
なお、照明部５２Ｈと導光手段３４Ｈの一端部との間には間隙Ｗが設けられているので、外気がこの間隙Ｗを通して導光手段３４Ｈの内部に流入され、この流入された外気によって導光手段３４Ｈや拡散カバー部材５６等が冷やされる。これにより、照明手段５０Ｈの照明部５２Ｈからの熱により導光手段３４Ｈや拡散カバー部材５６等の温度が上昇するのを抑制することができる。
【００９８】
［第１０の実施形態］
次に、図２０及び図２１を参照して、本発明の第１０の実施形態による採光装置について説明する。図２０は、本発明の第１０の実施形態による採光装置を示す概略断面図であり、図２１は、図２０の採光装置を示す概略斜視図である。
【００９９】
図２０及び図２１において、この第１０の実施形態の採光装置３０Ｊは、光を照射するための照明手段５０Ｈと、照明手段５０Ｈからの光をその内面で反射させながら所定方向へ導くための筒状の導光手段３４Ｊと、導光手段３４Ｊからの光を貯蔵タンク２の内部に照射するための照射手段３６と、を備えている。
【０１００】
導光手段３４Ｊは、直線状に延びる導光用筒状部材１１４と、導光用筒状部材１１４の外周部を覆う保護用筒状部材１１６と、を有している。導光用筒状部材１１４は例えばアルミニウムから形成され、その内面には反射面６２Ｊが形成されている。保護用筒状部材１１６は、例えば塩化ビニル等の樹脂から形成されている。
【０１０１】
ドーム部材（図示せず）は取付部材３８Ｊより取り外されており、この取付部材３８Ｊの支持部４４Ｊの内部には、リング状部材１１８が取り付けられている。このリング状部材１１８の外周部には、径方向外方に延びる棒状部１２０が設けられ、この棒状部１２０が取付部材３８Ｊの支持部４４Ｊに設けられた貫通孔１２２に着脱自在に挿入されることにより、リング状部材１１８が取付部材３８Ｊの支持部４４Ｊの内部に取り付けられる。また、リング状部材１１８の内径は、導光手段３４Ｊの外径よりも幾分大きく構成されている。このリング状部材１１８は、導光手段３４Ｊを側壁部４のマンホール部１４において移動自在に支持するための支持手段を構成する。
【０１０２】
導光手段３４Ｊの一端部は、側壁部４のマンホール部１４を通してリング状部材１１８に移動自在に挿入された後に貯蔵タンク２の外部に延び、またその他端部は、側壁部４のマンホール部１４を通して貯蔵タンク２の内部に延びて固定用リング７０を介して拡散カバー部材５６に取り付けられる。
【０１０３】
また、導光手段３４Ｊの他端部は、支持部材１２４により高さ調節自在に支持されている。この支持部材１２４は、相互に回動自在に交差して取り付けられた一対の支持脚部１２６と、一対の支持脚部１２６の各下端部に取り付けられた一対の支持プレート部１２８と、を備えている。一対の支持脚部１２６にはそれぞれ複数の貫通孔１３０が設けられており、各支持脚部１２６の対応する貫通孔１３０にはそれぞれ、略コの字状の固定用部材１３２の両端部が着脱自在に挿入されて取り付けられる。このように取り付けられることにより、一対の支持脚部１２６が所定の交差角度でもって位置決め保持され、この位置決め保持された一対の支持脚部１２６の交差部１３４に導光手段３４Ｊの他端部が載置される。なお、固定用部材１３２を取り付ける貫通孔１３０を変更することにより、一対の支持脚部１２６の交差角度が大きく（又は小さく）なり、これにより一対の支持脚部１２６の交差部１３４の位置が下方に（又は上方に）移動され、導光手段３４Ｊの他端部の高さ位置が調節される。
【０１０４】
また、拡散カバー部材５６を保護するための保護部材１３６が設けられており、この保護部材１３６は、筒状のカバー本体部１３８と、カバー本体部１３８の一端部に設けられた格子部１４０と、を有している。カバー本体部１３６は、複数の取付用ネジ１４２により導光手段３４Ｊの他端部に取り付けられ、このように取り付けられると、格子部１４０は拡散カバー部材５６の前方を覆うようにして配設される。
【０１０５】
照明手段５０Ｈは貯蔵タンク２の外部に設置され、上記第９の実施形態と同様に、照明手段５０Ｈの照明部５２Ｈと導光手段３４Ｊの一端部との間には、例えば５ｍｍ〜１０ｍｍ程度の間隙Ｗが設けられている。
【０１０６】
第１０の実施形態の採光装置３０Ｊによる貯蔵タンク２の内部の照明は、次のようにして行われる。例えば晴天時の昼間のように太陽からの光を充分に得ることができる場合には、上記第５の実施形態と同様に、ドーム部材が取付部材３８Ｊに取り付けられ、太陽からの光がドーム部材を通して導入され、この光が例えば採光側筒状部材及び照射側筒状部材（図示せず）により導かれて貯蔵タンク２の内部が照明される。例えば雨天時や曇天時、夜間等のように、太陽からの光を充分に得ることができない場合には、ドーム部材、採光側筒状部材及び照射側筒状部材をそれぞれ取付部材３８Ｊより取り外し、リング状部材１１８を取付部材３８Ｊの支持部４４Ｊの内部に取り付ける。そして、導光手段３４Ｊの一端部を側壁部４のマンホール部１４を通してリング状部材１１８に移動自在に挿入し、導光手段３４Ｊの他端部を支持部材１２４により所定の高さ位置に支持する。また、照明手段５０Ｈを貯蔵タンク２の外部の所定位置に設置する。
【０１０７】
この状態で照明手段５０Ｈの照明部５２Ｈを点灯させると、照明部５２Ｈからの光が導光手段３４Ｊの一端部よりその内部に導入され、導光用筒状部材１１４の内面の反射面６２Ｊを乱反射しながら所定方向へと導かれる。導光手段３４Ｊの他端部より出射された光は、拡散カバー部材５６を通して貯蔵タンク２の収容空間１２に拡散照射される。従って、太陽からの光を充分に得ることができない場合においても、照明手段５０Ｈからの光を利用して貯蔵タンク２の収容空間１２を高い安全性でもって照明することができる。
【０１０８】
また、導光手段３４Ｊはリング状部材１１８に移動自在に支持されているので、導光手段３４Ｊをリング状部材１１８に対して相対的に移動させることができる。例えば、導光手段３４Ｊを前後方向（図２０において左右方向）に移動させる、あるいは導光手段３４Ｊの他端部を上下方向（図２０において上下方向）又は左右方向（図２０において紙面に対して垂直方向）などの種々の方向に移動させることができ、これにより照射手段３６からの光の照射方向を調節することができる。従って、貯蔵タンク２内の所望の領域を照明することができ、貯蔵タンク２内における作業性を高めることが可能となる。
【０１０９】
なお、上記第９の実施形態と同様に、外気が照明部５２Ｈと導光手段３４Ｊの一端部との間に設けられた間隙Ｗを通して導光手段３４Ｊの内部に流入され、この流入された外気によって導光手段３４Ｊや拡散カバー部材５６等が冷やされ、これにより照明手段５０Ｈの照明部５２Ｈからの熱により導光手段３４Ｊや拡散カバー部材５６等の温度が上昇するのを抑制することができる。
【０１１０】
［第１１の実施形態］
次に、図２２を参照して、本発明の第１１の実施形態による採光装置について説明する。図２２は、本発明の第１１の実施形態による採光装置を示す概略断面図である。
【０１１１】
図２２において、この第１１の実施形態の採光装置３０Ｋは、地下空間１６０（例えば、地下街や地下トンネルなど）に対して設置されている。地上空間１６２と地下空間１６０とを仕切る地面１６４には、上方に筒状に延びる開口部１６６が設けられ、この開口部１６６には採光手段３２が取り付けられている。導光手段３４Ｋは、採光側筒状部材５８、中間筒状部材１０４及び照射側筒状部材６０が相互に接続されることにより構成されており、導光手段３４Ｋの一端部は、開口部１６６を通して採光手段３２に連結され、またその他端部は、開口部１６６を通して地下空間１６０に延びて照射手段３６に連結されている。
【０１１２】
この第１１の実施形態の採光装置３０Ｋでは、上記各実施形態と同様に、採光手段３２により採光された太陽からの光は、導光手段３４Ｋにより所定方向に導かれ、この導光手段３４Ｋからの光が照射手段３６によって地下空間１６０に照射される。従って、太陽からの光の届き難い地下空間１６０を太陽からの光によって照明することができ、省エネルギー化を図ることができる。
【０１１３】
また、地下空間１６０が複数階層（例えば、地下２階）から構成されている場合には、導光手段３４Ｋの中間筒状部材１０４を複数設けることにより導光手段３４Ｋの長さを調節し、この導光手段３４Ｋの他端部を地下２階部の天井部１６５に設けられた開口部１６７を通して照射手段３６に連結すればよい。これにより、所望の階における地下空間１６０を照明することができる。
【０１１４】
［第１２の実施形態］
次に、図２３を参照して、本発明の第１２の実施形態による採光装置について説明する。図２３は、本発明の第１２の実施形態による採光装置を示す概略断面図である。
【０１１５】
図２３において、この第１２の実施形態の採光装置３０Ｌは、船舶１６８の内部に形成された船内空間１７０（例えば、船体内部の船室や機関室など）に対して設置されている。船舶１６８の甲板１７２には、上方に筒状に延びる開口部１７４が設けられ、この開口部１７４には採光手段３２が取り付けられている。また、船内空間１７０の上端部には開口部１６９が設けられている。導光手段３４Ｌは、採光側筒状部材５８、中間筒状部材１０４及び照射側筒状部材６０が相互に接続されることにより構成されており、導光手段３４Ｌの一端部は、開口部１７４を通して採光手段３２に連結され、またその他端部は、開口部１６９を通して船内空間１７０に延びて照射手段３６に連結されている。
【０１１６】
従って、採光手段３２により採光された太陽からの光は、導光手段３４Ｌにより所定方向に導かれ、この導光手段３４Ｌからの光が照射手段３６によって船内空間１７０に照射され、上記第１１の実施形態と同様の作用効果が達成される。
【０１１７】
［第１３の実施形態］
次に、図２４を参照して、本発明の第１３の実施形態による採光装置について説明する。図２４は、本発明の第１３の実施形態による採光装置を示す概略断面図である。
【０１１８】
図２４において、この第１３の実施形態の採光装置３０Ｍは、トンネル空間１７６（例えば、自動車用トンネルなど）に対して設置されている。トンネル空間１７６に設けられた開口部１７８には、採光手段３２Ｆが設けられている。導光手段３４Ｍは、採光側筒状部材５８、中間筒状部材１０４ａ、屈曲筒状部材９２ａ、複数の中間筒状部材１０４ｂ及び屈曲筒状部材９２ｂがこの順に相互に接続されることにより構成されている。導光手段３４Ｍの一端部は、開口部１７８を通して約９０度の角度に上方に屈曲されて採光手段３２Ｆに連結され、またその他端部は、開口部１７８を通してトンネル空間１７６に実質上水平方向に延びた後に約９０度の角度に下方に屈曲され、トンネル空間１７６の天井部１８０に設けられた照射手段３６に連結されている。また、複数の中間筒状部材１０４ｂのうち特定の中間筒状部材１０４ｂには、その外側部から分岐して延びる分岐筒状部１８２が設けられており、この分岐筒状部１８２の先端部には照射手段３６が連結されている。
【０１１９】
従って、採光手段３２Ｆにより採光された太陽からの光は、導光手段３４Ｍにより所定方向に導かれ、この導光手段３４Ｍからの光が複数の照射手段３６によってトンネル空間１７６に照射され、上記第１１の実施形態と同様の作用効果が達成される。
【０１２０】
［第１４の実施形態］
次に、図２５を参照して、本発明の第１４の実施形態による採光装置について説明する。図２５は、本発明の第１４の実施形態による採光装置を示す概略断面図である。
【０１２１】
図２５において、この第１４の実施形態の採光装置３０Ｎは、海中空間１８４（例えば、海底都市など）に設置されている。海中空間１８４は、海底１８６に配設されたシェルタ本体部１８８と、シェルタ本体部１８８の上端部より海面まで延びるシェルタ筒状部１９０とによって規定されており、このシェルタ本体部１８８内には例えば居住施設など（図示せず）が配設されている。シェルタ筒状部１９０の開口部１９２には採光手段３２が取り付けられている。導光手段３４Ｎは、採光側筒状部材５８、複数の中間筒状部材１０４及び照射側筒状部材６０が相互に接続されることにより構成されており、導光手段３４Ｎの一端部は、シェルタ筒状部１９０の開口部１９２を通して採光手段３２に連結され、またその他端部は、シェルタ筒状部１９０内を通してシェルタ本体部１８８内に延びて照射手段３６に連結されている。
【０１２２】
従って、採光手段３２により採光された太陽からの光は、導光手段３４Ｎにより所定方向に導かれ、この導光手段３４Ｎからの光が照射手段３６によってシェルタ本体部１８８内に照射され、上記第１１の実施形態と同様の作用効果が達成される。
【０１２３】
［実施例及び比較例］
本発明による採光装置の優れた効果を確認するために、次のような実験を行った。
実施例１として、図３に示す採光装置３０Ａを用い、晴天時においてこの採光装置３０Ａにより貯蔵タンク２の内部を照明した際に、側壁部４の底部における照度を測定する実験を行った。この実験の結果は表１に示すとおりである。なお、導光手段３４Ａの直径及び長さはそれぞれ４００ｍｍ、７０ｃｍであり、天壁部６と側壁部４の底部との間の距離は２ｍであり、また、貯蔵タンク２の外部の照度は５００００Ｌｘ、拡散カバー部材５６の近傍における照度は７８００Ｌｘであった。
【０１２４】
【表１】
2008262887.tif 000003
表１に示すように、実施例１では、マンホール部１６の中心軸から片側に１３ｍ離れた範囲まで照明されており、広範囲に照明できることが確認された。従って、導光手段３４Ａを回転させることにより、マンホール部１６の中心軸を中心とする半径１３ｍの円形の範囲内を照明することができる。
【０１２５】
また、実施例２として、図２０に示す採光装置３０Ｊを用い、晴天時においてこの採光装置３０Ｊにより貯蔵タンク２の内部を照明した際に、貯蔵タンク２の内部における照度を測定する実験を行った。この実験の結果は図２６（ａ）及び表２に示すとおりである。なお、導光手段３４Ｊの直径及び長さはそれぞれ４００ｍｍ、４０ｃｍであり、照明部５２Ｈと導光手段３４Ｊの一端部との間の間隙Ｗは５ｍｍであり、拡散カバー部材５６の近傍における照度は２９４００Ｌｘであった。
【０１２６】
【表２】
2008262887.tif 000004
図２６（ａ）及び表２に示すように、実施例２では、導光手段３４Ｊの他端部の前方において約１５ｍの範囲内が照明され、更に、導光手段３４Ｊの左右外側において約１３ｍの範囲内が照明され、広範囲に照明できることが確認された。
【０１２７】
また、比較例１として、側壁部４のマンホール部１４に照明手段５０Ｈの照明部５２Ｈを設置し、晴天時においてこの照明部５２Ｈからの光により貯蔵タンク２の内部を照明した際に、貯蔵タンク２の内部における照度を測定する実験を行った。この実験の結果は図２６（ｂ）及び表３に示すとおりである。なお、照明部５２Ｈの近傍における照度は２６４００Ｌｘであった。
【０１２８】
【表３】
2008262887.tif 000005
図２６（ｂ）及び表３に示すように、比較例１では、実施例２と同様に、照明部５２Ｈの前方において約１５ｍの範囲内が照明されるが、照明部５２Ｈの左右外側においては実施例２よりも短い約１０ｍの範囲内が照明され、実施例２よりも照明範囲が狭いことが確認された。
【０１２９】
従って、本発明による採光装置においては、照明部５２Ｈからの光を導光手段３４Ｊにより貯蔵タンク２の内部に導いて照明することにより、貯蔵タンク２の内部をより広範囲に照明することができるという優れた作用効果が達成される。このような作用効果は、比較例１、即ち、従来の照明方法では決して得ることのできないものである。
【０１３０】
以上、本発明に従う採光装置の種々の実施形態について説明したが、本発明はかかる実施形態に限定されるものではなく、本発明の範囲を逸脱することなく種々の変形乃至修正が可能である。
【０１３１】
例えば、上記第１の実施形態においては照明手段５０を設けるように構成したが、上記第２〜第８の実施形態においても同様に、この照明手段５０を設けるように構成してもよい。
【０１３２】
また例えば、上記各実施形態では、貯蔵タンク２（２Ｇ）をフローティングルーフタンクから構成したが、これに限られず、例えばドームルーフタンク、コーンルーフタンク、地下タンク及び球形タンク等の種々の貯蔵タンクから構成してもよい。
【０１３３】
また例えば、上記各実施形態では、貯蔵タンク内の収容空間、地下空間、船内空間、トンネル空間及び海中空間を照明するように構成したが、これに限られず、例えば商店街のアーケード内の空間や電車の駅構内の空間、港湾施設（水揚げ場や魚市場など）内の空間などの種々の太陽からの光が届き難い空間を照明するように構成することができる。
【図面の簡単な説明】
【０１３４】
【図１】本発明の第１の実施形態による採光装置を設置した貯蔵タンクを示す概略断面図である。
【図２】図１の採光装置を示す概略断面図である。
【図３】本発明の第２の実施形態による採光装置を示す概略断面図である。
【図４】図３の屈曲筒状部材を屈曲させない状態で示す概略断面図である。
【図５】図３の屈曲筒状部材を約４５度の角度に屈曲させた状態を示す図である。
【図６】図３の採光装置の変形形態を示す斜視図である。
【図７】本発明の第３の実施形態による採光装置を示す概略断面図である。
【図８】図７の屈曲筒状部材を屈曲させない状態で示す概略断面図である。
【図９】図７の屈曲筒状部材を約９０度の角度に屈曲させた状態を示す図である。
【図１０】本発明の第４の実施形態による採光装置を示す概略断面図である。
【図１１】図１０の採光装置を示す斜視図である。
【図１２】本発明の第５の実施形態による採光装置を示す概略断面図である。
【図１３】図１２の採光装置の変形形態を示す概略断面図である。
【図１４】本発明の第６の実施形態による採光装置を示す概略断面図である。
【図１５】図１４の採光装置の変形形態を示す概略断面図である。
【図１６】本発明の第７の実施形態による採光装置を示す概略断面図である。
【図１７】本発明の第８の実施形態による採光装置を設置した貯蔵タンクを示す概略断面図である。
【図１８】図１７の導光手段を示す概略断面図である。
【図１９】本発明の第９の実施形態による採光装置を示す概略断面図である。
【図２０】本発明の第１０の実施形態による採光装置を示す概略断面図である。
【図２１】図２０の採光装置を示す概略斜視図である。
【図２２】本発明の第１１の実施形態による採光装置を示す概略断面図である。
【図２３】本発明の第１２の実施形態による採光装置を示す概略断面図である。
【図２４】本発明の第１３の実施形態による採光装置を示す概略断面図である。
【図２５】本発明の第１４の実施形態による採光装置を示す概略断面図である。
【図２６】（ａ）は、実施例２における貯蔵タンクの内部の照明範囲を示す概略図であり、（ｂ）は、比較例１における貯蔵タンクの内部の照明範囲を示す概略図である。
【符号の説明】
【０１３５】
２，２Ｇ  貯蔵タンク
４，４Ｇ  側壁部
６，６Ｇ  天壁部
１２，１２Ｇ  収容空間
１４，１６，１６Ｇ  マンホール部
３０，３０Ａ〜３０Ｎ  採光装置
３２，３２Ｃ〜３２Ｄ  採光手段
３４，３４Ａ〜３４Ｎ  導光手段
３６，３６Ｃ  照射手段
３８，３８Ｃ〜３８Ｆ，３８Ｊ  取付部材
４０  ドーム部材
４２，４２Ｄ〜４２Ｆ，４２Ｊ  基台部
４４，４４Ｃ，４４Ｊ  支持部
５０，５０Ｈ  照明手段
５８，５８Ａ，５８Ｃ  採光側筒状部材
６０  照射側筒状部材
８０，８０ａ〜８０ｃ，９２  屈曲筒状部材
９４ａ〜９４ｄ  筒状体
９６  照射部
９８  導光ユニット
１０４ａ，１０４ｂ  中間筒状部材
１６０  地下空間
１７０  船内空間
１７６  トンネル空間
１８４  海中空間
【図１】
2008262887.tif 000006
【図２】
2008262887.tif 000007
【図３】
2008262887.tif 000008
【図４】
2008262887.tif 000009
【図５】
2008262887.tif 000010
【図６】
2008262887.tif 000011
【図７】
2008262887.tif 000012
【図８】
2008262887.tif 000013
【図９】
2008262887.tif 000014
【図１０】
2008262887.tif 000015
【図１１】
2008262887.tif 000016
【図１２】
2008262887.tif 000017
【図１３】
2008262887.tif 000018
【図１４】
2008262887.tif 000019
【図１５】
2008262887.tif 000020
【図１６】
2008262887.tif 000021
【図１７】
2008262887.tif 000022
【図１８】
2008262887.tif 000023
【図１９】
2008262887.tif 000024
【図２０】
2008262887.tif 000025
【図２１】
2008262887.tif 000026
【図２２】
2008262887.tif 000027
【図２３】
2008262887.tif 000028
【図２４】
2008262887.tif 000029
【図２５】
2008262887.tif 000030
【図２６】
2008262887.tif 000031